(57)【特許請求の範囲】
【請求項１】
複数の熱源機を備える熱源システムに適用され、外部負荷へ供給する熱媒の温度である熱媒送出温度が設定温度となるように、前記熱源機を制御する熱源システムの制御装置であって、
各前記熱源機と運転優先順位とが対応付けられている運転優先順位情報に従って、前記熱源機の台数制御を行う台数制御手段と、
運転中の前記熱源機のうち、予め設定された能力劣化条件を満たす熱源機を能力劣化機として検出する劣化機検出手段と、
前記能力劣化機が検出された場合に、前記運転優先順位情報における前記能力劣化機の運転優先順位を最下位に変更する優先順位変更手段と、
各前記熱源機と出力可能上限値とが対応付けられている能力情報を用いて、各前記熱源機の出力可能上限値を超えないように負荷配分を行う負荷配分手段と、
前記能力劣化機が検出された場合に、前記能力情報における前記能力劣化機の出力可能上限値を低下させる能力変更手段と
を備え、
前記台数制御手段は、要求負荷と増段閾値とに応じて増段の要否を判定し、
前記能力劣化機が検出された場合に、前記能力劣化機が出力可能な能力に応じて前記増段閾値を変更する増段閾値変更手段を備える熱源システムの制御装置。
【請求項２】
複数の熱源機を備える熱源システムに適用され、外部負荷へ供給する熱媒の温度である熱媒送出温度が設定温度となるように、前記熱源機を制御する熱源システムの制御装置であって、
各前記熱源機と運転優先順位とが対応付けられている運転優先順位情報に従って、前記熱源機の台数制御を行う台数制御手段と、
運転中の前記熱源機のうち、予め設定された能力劣化条件を満たす熱源機を能力劣化機として検出する劣化機検出手段と、
前記能力劣化機が検出された場合に、前記運転優先順位情報における前記能力劣化機の運転優先順位を最下位に変更する優先順位変更手段と、
各前記熱源機と出力可能上限値とが対応付けられている能力情報を用いて、各前記熱源機の出力可能上限値を超えないように負荷配分を行う負荷配分手段と、
前記能力劣化機が検出された場合に、前記能力情報における前記能力劣化機の出力可能上限値を低下させる能力変更手段と
を備え、
前記台数制御手段は、要求負荷と減段閾値とに応じて減段の要否を判定し、
前記能力劣化機が検出された場合に、前記能力劣化機が出力可能な能力に応じて前記減段閾値を変更する減段閾値変更手段を備える熱源システムの制御装置。
【請求項３】
複数の熱源機を備える熱源システムに適用され、外部負荷へ供給する熱媒の温度である熱媒送出温度が設定温度となるように、前記熱源機を制御する熱源システムの制御装置であって、
各前記熱源機と出力可能上限値とが対応付けられている能力情報を用いて、各前記熱源機の出力可能上限値を超えないように負荷配分を行う負荷配分手段と、
運転中の前記熱源機のうち、予め設定された能力劣化条件を満たす熱源機を能力劣化機として検出する劣化機検出手段と、
前記能力劣化機が検出された場合に、前記能力情報における前記能力劣化機の出力可能上限値を低下させる能力変更手段と、
要求負荷と増段閾値とに応じて増段の要否を判定する台数制御手段と、
前記能力劣化機が検出された場合に、前記能力劣化機が出力可能な能力に応じて前記増段閾値を変更する増段閾値変更手段と
を具備する熱源システムの制御装置。
【請求項４】
複数の熱源機を備える熱源システムに適用され、外部負荷へ供給する熱媒の温度である熱媒送出温度が設定温度となるように、前記熱源機を制御する熱源システムの制御装置であって、
各前記熱源機と出力可能上限値とが対応付けられている能力情報を用いて、各前記熱源機の出力可能上限値を超えないように負荷配分を行う負荷配分手段と、
運転中の前記熱源機のうち、予め設定された能力劣化条件を満たす熱源機を能力劣化機として検出する劣化機検出手段と、
前記能力劣化機が検出された場合に、前記能力情報における前記能力劣化機の出力可能上限値を低下させる能力変更手段と、
要求負荷と減段閾値とに応じて減段の要否を判定する台数制御手段と、
前記能力劣化機が検出された場合に、前記能力劣化機が出力可能な能力に応じて前記減段閾値を変更する減段閾値変更手段と
を具備する熱源システムの制御装置。
【請求項５】
複数の熱源機を備える熱源システムに適用され、外部負荷へ供給する熱媒の温度である熱媒送出温度が設定温度となるように、前記熱源機を制御する熱源システムの制御装置であって、
各前記熱源機と運転優先順位とが対応付けられている運転優先順位情報に従って、前記熱源機の台数制御を行う台数制御手段と、
運転中の前記熱源機のうち、予め設定された能力劣化条件を満たす熱源機を能力劣化機として検出する劣化機検出手段と、
前記能力劣化機が検出された場合に、前記運転優先順位情報における前記能力劣化機の運転優先順位を最下位に変更する優先順位変更手段と
を具備し、
前記劣化機検出手段は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御装置。
【請求項６】
複数の熱源機を備える熱源システムに適用され、外部負荷へ供給する熱媒の温度である熱媒送出温度が設定温度となるように、前記熱源機を制御する熱源システムの制御装置であって、
各前記熱源機と出力可能上限値とが対応付けられている能力情報を用いて、各前記熱源機の出力可能上限値を超えないように負荷配分を行う負荷配分手段と、
運転中の前記熱源機のうち、予め設定された能力劣化条件を満たす熱源機を能力劣化機として検出する劣化機検出手段と、
前記能力劣化機が検出された場合に、前記能力情報における前記能力劣化機の出力可能上限値を低下させる能力変更手段と
を具備し、
前記劣化機検出手段は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御装置。
【請求項７】
複数の熱源機を備える熱源システムに適用され、外部負荷へ供給する熱媒の温度である熱媒送出温度が設定温度となるように、前記熱源機を制御する熱源システムの制御装置であって、
各前記熱源機と運転優先順位とが対応付けられている運転優先順位情報に従って、前記熱源機の台数制御を行う台数制御手段と、
運転中の前記熱源機のうち、予め設定された能力劣化条件を満たす熱源機を能力劣化機として検出する劣化機検出手段と、
前記能力劣化機が検出された場合に、前記運転優先順位情報における前記能力劣化機の運転優先順位を最下位に変更する優先順位変更手段と
を具備し、
前記劣化機検出手段は、定常状態において、前記熱源機が備える所定の構成要素に係るパラメータが定格値であり、かつ、現在の能力が出力可能上限値未満である場合に、前記能力劣化条件を満たすと判定する熱源システムの制御装置。
【請求項８】
複数の熱源機を備える熱源システムに適用され、外部負荷へ供給する熱媒の温度である熱媒送出温度が設定温度となるように、前記熱源機を制御する熱源システムの制御装置であって、
各前記熱源機と出力可能上限値とが対応付けられている能力情報を用いて、各前記熱源機の出力可能上限値を超えないように負荷配分を行う負荷配分手段と、
運転中の前記熱源機のうち、予め設定された能力劣化条件を満たす熱源機を能力劣化機として検出する劣化機検出手段と、
前記能力劣化機が検出された場合に、前記能力情報における前記能力劣化機の出力可能上限値を低下させる能力変更手段と
を具備し、
前記劣化機検出手段は、定常状態において、前記熱源機が備える所定の構成要素に係るパラメータが定格値であり、かつ、現在の能力が出力可能上限値未満である場合に、前記能力劣化条件を満たすと判定する熱源システムの制御装置。
【請求項９】
複数の熱源機を備える熱源システムに適用され、外部負荷へ供給する熱媒の温度である熱媒送出温度が設定温度となるように、前記熱源機を制御する熱源システムの制御装置であって、
各前記熱源機と運転優先順位とが対応付けられている運転優先順位情報に従って、前記熱源機の台数制御を行う台数制御手段と、
運転中の前記熱源機のうち、予め設定された能力劣化条件を満たす熱源機を能力劣化機として検出する劣化機検出手段と、
前記能力劣化機が検出された場合に、前記運転優先順位情報における前記能力劣化機の運転優先順位を最下位に変更する優先順位変更手段と
を具備し、
前記劣化機検出手段は、能力発揮が制限されている状態にある熱源機を前記能力劣化機の判定対象から除外する熱源システムの制御装置。
【請求項１０】
複数の熱源機を備える熱源システムに適用され、外部負荷へ供給する熱媒の温度である熱媒送出温度が設定温度となるように、前記熱源機を制御する熱源システムの制御装置であって、
各前記熱源機と出力可能上限値とが対応付けられている能力情報を用いて、各前記熱源機の出力可能上限値を超えないように負荷配分を行う負荷配分手段と、
運転中の前記熱源機のうち、予め設定された能力劣化条件を満たす熱源機を能力劣化機として検出する劣化機検出手段と、
前記能力劣化機が検出された場合に、前記能力情報における前記能力劣化機の出力可能上限値を低下させる能力変更手段と
を具備し、
前記劣化機検出手段は、能力発揮が制限されている状態にある熱源機を前記能力劣化機の判定対象から除外する熱源システムの制御装置。
【請求項１１】
前記熱媒送出温度が前記設定温度から乖離することにより予め設定された強制増段の条件を満たすか否かを判定する強制増段判定手段と、
前記強制増段の条件を満たすと判定された場合に、強制増段を行う強制増段手段と
を具備する請求項１から請求項１０のいずれかに記載の熱源システムの制御装置。
【請求項１２】
前記強制増段判定手段は、定常状態において、熱媒送出温度と設定温度との差分または熱媒送出温度と設定温度との差分の比例積分値が、予め設定されている強制増段閾値以上である状態が所定期間継続した場合に、前記強制増段の条件を満たすと判定する請求項１１に記載の熱源システムの制御装置。
【請求項１３】
前記強制増段手段は、運転を停止している前記熱源機のうち、起動から能力発揮までの時間が短い熱源機を優先させて起動させる請求項１１または請求項１２に記載の熱源システムの制御装置。
【請求項１４】
前記強制増段手段は、運転を停止している前記熱源機のうち、要求負荷の不足分よりも大きな出力可能上限値を有する熱源機を優先的に起動させる請求項１１または請求項１２に記載の熱源システムの制御装置。
【請求項１５】
請求項１から請求項１４のいずれかに記載の熱源システムの制御装置を備える熱源システム。
【請求項１６】
前記能力劣化機が検出されたことを報知する報知手段を備える請求項１５に記載の熱源システム。
【請求項１７】
複数の熱源機を備える熱源システムに適用され、外部負荷へ供給する熱媒の温度である熱媒送出温度が設定温度となるように、前記熱源機を制御する熱源システムの制御方法であって、
各前記熱源機と運転優先順位とが対応付けられている運転優先順位情報に従って、前記熱源機の台数制御を行う台数制御過程と、
運転中の前記熱源機のうち、予め設定された能力劣化条件を満たす熱源機を能力劣化機として検出する劣化機検出過程と、
前記能力劣化機が検出された場合に、前記運転優先順位情報における前記能力劣化機の運転優先順位を最下位に変更する優先順位変更過程と、
各前記熱源機と出力可能上限値とが対応付けられている能力情報を用いて、各前記熱源機の出力可能上限値を超えないように負荷配分を行う負荷配分過程と、
前記能力劣化機が検出された場合に、前記能力情報における前記能力劣化機の出力可能上限値を低下させる能力変更過程と
を有し、
前記台数制御過程は、要求負荷と増段閾値とに応じて増段の要否を判定し、
前記能力劣化機が検出された場合に、前記能力劣化機が出力可能な能力に応じて前記増段閾値を変更する増段閾値変更過程を有する熱源システムの制御方法。
【請求項１８】
複数の熱源機を備える熱源システムに適用され、外部負荷へ供給する熱媒の温度である熱媒送出温度が設定温度となるように、前記熱源機を制御する熱源システムの制御方法であって、
各前記熱源機と運転優先順位とが対応付けられている運転優先順位情報に従って、前記熱源機の台数制御を行う台数制御過程と、
運転中の前記熱源機のうち、予め設定された能力劣化条件を満たす熱源機を能力劣化機として検出する劣化機検出過程と、
前記能力劣化機が検出された場合に、前記運転優先順位情報における前記能力劣化機の運転優先順位を最下位に変更する優先順位変更過程と、
各前記熱源機と出力可能上限値とが対応付けられている能力情報を用いて、各前記熱源機の出力可能上限値を超えないように負荷配分を行う負荷配分過程と、
前記能力劣化機が検出された場合に、前記能力情報における前記能力劣化機の出力可能上限値を低下させる能力変更過程と
を有し、
前記台数制御過程は、要求負荷と減段閾値とに応じて減段の要否を判定し、
前記能力劣化機が検出された場合に、前記能力劣化機が出力可能な能力に応じて前記減段閾値を変更する減段閾値変更過程を有する熱源システムの制御方法。
【請求項１９】
複数の熱源機を備える熱源システムに適用され、外部負荷へ供給する熱媒の温度である熱媒送出温度が設定温度となるように、前記熱源機を制御する熱源システムの制御方法であって、
各前記熱源機と出力可能上限値とが対応付けられている能力情報を用いて、各前記熱源機の出力可能上限値を超えないように負荷配分を行う負荷配分過程と、
運転中の前記熱源機のうち、予め設定された能力劣化条件を満たす熱源機を能力劣化機として検出する劣化機検出過程と、
前記能力劣化機が検出された場合に、前記能力情報における前記能力劣化機の出力可能上限値を低下させる能力変更過程と、
要求負荷と増段閾値とに応じて増段の要否を判定する台数制御過程と、
前記能力劣化機が検出された場合に、前記能力劣化機が出力可能な能力に応じて前記増段閾値を変更する増段閾値変更過程と
を具備する熱源システムの制御方法。
【請求項２０】
複数の熱源機を備える熱源システムに適用され、外部負荷へ供給する熱媒の温度である熱媒送出温度が設定温度となるように、前記熱源機を制御する熱源システムの制御方法であって、
各前記熱源機と出力可能上限値とが対応付けられている能力情報を用いて、各前記熱源機の出力可能上限値を超えないように負荷配分を行う負荷配分過程と、
運転中の前記熱源機のうち、予め設定された能力劣化条件を満たす熱源機を能力劣化機として検出する劣化機検出過程と、
前記能力劣化機が検出された場合に、前記能力情報における前記能力劣化機の出力可能上限値を低下させる能力変更過程と、
要求負荷と減段閾値とに応じて減段の要否を判定する台数制御過程と、
前記能力劣化機が検出された場合に、前記能力劣化機が出力可能な能力に応じて前記減段閾値を変更する減段閾値変更過程と
を有する熱源システムの制御方法。
【請求項２１】
複数の熱源機を備える熱源システムに適用され、外部負荷へ供給する熱媒の温度である熱媒送出温度が設定温度となるように、前記熱源機を制御する熱源システムの制御方法であって、
各前記熱源機と運転優先順位とが対応付けられている運転優先順位情報に従って、前記熱源機の台数制御を行う台数制御過程と、
運転中の前記熱源機のうち、予め設定された能力劣化条件を満たす熱源機を能力劣化機として検出する劣化機検出過程と、
前記能力劣化機が検出された場合に、前記運転優先順位情報における前記能力劣化機の運転優先順位を最下位に変更する優先順位変更過程と
を有し、
前記劣化機検出過程は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御方法。
【請求項２２】
複数の熱源機を備える熱源システムに適用され、外部負荷へ供給する熱媒の温度である熱媒送出温度が設定温度となるように、前記熱源機を制御する熱源システムの制御方法であって、
各前記熱源機と出力可能上限値とが対応付けられている能力情報を用いて、各前記熱源機の出力可能上限値を超えないように負荷配分を行う負荷配分過程と、
運転中の前記熱源機のうち、予め設定された能力劣化条件を満たす熱源機を能力劣化機として検出する劣化機検出過程と、
前記能力劣化機が検出された場合に、前記能力情報における前記能力劣化機の出力可能上限値を低下させる能力変更過程と
を具備し、
前記劣化機検出過程は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御方法。
【請求項２３】
複数の熱源機を備える熱源システムに適用され、外部負荷へ供給する熱媒の温度である熱媒送出温度が設定温度となるように、前記熱源機を制御する熱源システムの制御方法であって、
各前記熱源機と運転優先順位とが対応付けられている運転優先順位情報に従って、前記熱源機の台数制御を行う台数制御過程と、
運転中の前記熱源機のうち、予め設定された能力劣化条件を満たす熱源機を能力劣化機として検出する劣化機検出過程と、
前記能力劣化機が検出された場合に、前記運転優先順位情報における前記能力劣化機の運転優先順位を最下位に変更する優先順位変更過程と
を有し、
前記劣化機検出過程は、定常状態において、前記熱源機が備える所定の構成要素に係るパラメータが定格値であり、かつ、現在の能力が出力可能上限値未満である場合に、前記能力劣化条件を満たすと判定する熱源システムの制御方法。
【請求項２４】
複数の熱源機を備える熱源システムに適用され、外部負荷へ供給する熱媒の温度である熱媒送出温度が設定温度となるように、前記熱源機を制御する熱源システムの制御方法であって、
各前記熱源機と出力可能上限値とが対応付けられている能力情報を用いて、各前記熱源機の出力可能上限値を超えないように負荷配分を行う負荷配分過程と、
運転中の前記熱源機のうち、予め設定された能力劣化条件を満たす熱源機を能力劣化機として検出する劣化機検出過程と、
前記能力劣化機が検出された場合に、前記能力情報における前記能力劣化機の出力可能上限値を低下させる能力変更過程と
を具備し、
前記劣化機検出過程は、定常状態において、前記熱源機が備える所定の構成要素に係るパラメータが定格値であり、かつ、現在の能力が出力可能上限値未満である場合に、前記能力劣化条件を満たすと判定する熱源システムの制御方法。
【請求項２５】
複数の熱源機を備える熱源システムに適用され、外部負荷へ供給する熱媒の温度である熱媒送出温度が設定温度となるように、前記熱源機を制御する熱源システムの制御方法であって、
各前記熱源機と運転優先順位とが対応付けられている運転優先順位情報に従って、前記熱源機の台数制御を行う台数制御過程と、
運転中の前記熱源機のうち、予め設定された能力劣化条件を満たす熱源機を能力劣化機として検出する劣化機検出過程と、
前記能力劣化機が検出された場合に、前記運転優先順位情報における前記能力劣化機の運転優先順位を最下位に変更する優先順位変更過程と
を具備し、
前記劣化機検出過程は、能力発揮が制限されている状態にある熱源機を前記能力劣化機の判定対象から除外する熱源システムの制御方法。
【請求項２６】
複数の熱源機を備える熱源システムに適用され、外部負荷へ供給する熱媒の温度である熱媒送出温度が設定温度となるように、前記熱源機を制御する熱源システムの制御方法であって、
各前記熱源機と出力可能上限値とが対応付けられている能力情報を用いて、各前記熱源機の出力可能上限値を超えないように負荷配分を行う負荷配分過程と、
運転中の前記熱源機のうち、予め設定された能力劣化条件を満たす熱源機を能力劣化機として検出する劣化機検出過程と、
前記能力劣化機が検出された場合に、前記能力情報における前記能力劣化機の出力可能上限値を低下させる能力変更過程と
を有し、
前記劣化機検出過程は、能力発揮が制限されている状態にある熱源機を前記能力劣化機の判定対象から除外する熱源システムの制御方法。
【発明の詳細な説明】
【技術分野】
【０００１】
本発明は、熱源システム及びその制御装置並びに制御方法に関するものである。
【背景技術】
【０００２】
従来、並列に接続される複数の熱源機を備える熱源システムが知られている（例えば、特許文献１参照。）。このような熱源システムでは、一般的に、熱源機側から空調機やファンコイル等の外部負荷に送出される熱媒の温度（以下「熱媒送出温度」という。）が、外部負荷側の要求に応じて設定された設定温度（例えば、７℃）となるように、各熱源機の運転が行われる。
【０００３】
このような熱源システムにおいて、運転中の熱源機に経年劣化等の理由により定格能力を発揮できない熱源機（以下「能力劣化機」という。）が含まれている場合、送水温度が設定値から大きく乖離してしまうおそれがある。
この問題に対し、例えば、特許文献１には、送水温度に対して閾値を設定し、閾値を超過した場合に、停止している熱源機を強制増段させることで、送水温度の上昇を防ぐことが開示されている。
また、特許文献１には、熱源機を強制増段させる強制増段温度設定値が通常の減段温度設定値よりも低い可能性があることを考慮して、強制増段後に強制増段温度設定値から所定温度を減算した値に減段温度設定値を再設定することで、熱源機の増減段の繰り返しを防ぐことが開示されている。
【先行技術文献】
【特許文献】
【０００４】
【特許文献１】特開２０００−１８６７２号公報
【発明の概要】
【発明が解決しようとする課題】
【０００５】
しかしながら、上述した特許文献１に開示されている制御方法では、強制増段後の即減段を防止することができるものの、以下のような強制増段の繰り返し発生に対処することができないという問題があった。
例えば、送水温度上昇に伴って強制増段が発生し、その後に負荷が低下して減段処理が発生した場合に、能力劣化機以外の熱源機が減段処理されてしまうと、運転中の熱源機には能力劣化機が含まれた状態が維持される。この状態で、再度負荷が上昇すると、能力劣化機の影響によって送水温度が再度上昇し、強制増段が再度発生することとなる。そして、このような事態が繰り返し発生することにより、熱源機の増減段が頻繁に繰り返されることとなる。
【０００６】
本発明は、このような事情に鑑みてなされたものであって、熱源システムに能力劣化機が含まれることに起因する増減段の頻繁な繰り返しを回避することのできる熱源システム及びその制御装置並びに制御方法を提供することを目的とする。
【課題を解決するための手段】
【０００７】
本発明の第１態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と運転優先順位とが対応付けられている運転優先順位情報に従って、前記熱源機の台数制御を行う台数制御手段と、運転中の前記熱源機のうち、予め設定された能力劣化条件を満たす熱源機を能力劣化機として検出する劣化機検出手段と、前記能力劣化機が検出された場合に、前記運転優先順位情報における前記能力劣化機の運転優先順位を最下位に変更する優先順位変更手段と、各前記熱源機と出力可能上限値とが対応付けられている能力情報を用いて、各前記熱源機の出力可能上限値を超えないように負荷配分を行う負荷配分手段と、前記能力劣化機が検出された場合に、前記能力情報における前記能力劣化機の出力可能上限値を低下させる能力変更手段とを備え、前記台数制御手段は、要求負荷と増段閾値とに応じて増段の要否を判定し、前記能力劣化機が検出された場合に、前記能力劣化機が出力可能な能力に応じて前記増段閾値を変更する増段閾値変更手段を備える熱源システムの制御装置である。
【０００８】
上記熱源システムの制御装置によれば、能力劣化機が検出された場合に、その能力劣化機の運転優先順序が最下位に変更される。これにより、台数制御手段による減段処理が発生した場合には、能力劣化機を優先的に停止させることができ、更に、増段処理においては、能力劣化機以外の熱源機を能力劣化機よりも優先させて起動させることができる。これにより、能力劣化機が運転される機会を可能な限り減らすことができる。この結果、運転中の熱源機の中に能力劣化機が含まれることに起因する増減段の頻繁な繰り返しを回避することが可能となる。
更に、上記熱源システムの制御装置によれば、能力劣化機に対して能力以上の負荷が割り当てられることを防止することができる。この結果、能力劣化機の熱媒出口温度が熱媒出口設定温度から乖離することを防止することができ、ひいては、熱媒送出温度が設定温度から乖離することを防止することが可能となる。
ここで、「出力可能上限値」とは、熱源機が出力可能な最大能力として設定されている値であり、例えば、定格能力が挙げられる。また、「出力可能上限値」は、出力可能な最大能力であってもよく、または、定格能力あるいは出力可能な最大能力に基づいて決定される値であってもよい。
更に、上記熱源システムの制御装置によれば、台数制御に参照される増段閾値についても能力劣化機の出力可能な能力に応じて変更されるので、現在の熱源システムの能力に応じて適切なタイミングで増段処理を行うことが可能となる。
【０００９】
本発明の第２態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と運転優先順位とが対応付けられている運転優先順位情報に従って、前記熱源機の台数制御を行う台数制御手段と、運転中の前記熱源機のうち、予め設定された能力劣化条件を満たす熱源機を能力劣化機として検出する劣化機検出手段と、前記能力劣化機が検出された場合に、前記運転優先順位情報における前記能力劣化機の運転優先順位を最下位に変更する優先順位変更手段と、各前記熱源機と出力可能上限値とが対応付けられている能力情報を用いて、各前記熱源機の出力可能上限値を超えないように負荷配分を行う負荷配分手段と、前記能力劣化機が検出された場合に、前記能力情報における前記能力劣化機の出力可能上限値を低下させる能力変更手段とを備え、前記台数制御手段は、要求負荷と減段閾値とに応じて減段の要否を判定し、前記能力劣化機が検出された場合に、前記能力劣化機が出力可能な能力に応じて前記減段閾値を変更する減段閾値変更手段を備える熱源システムの制御装置である。
【００１０】
上記熱源システムの制御装置によれば、能力劣化機が検出された場合に、その能力劣化機の運転優先順序が最下位に変更される。これにより、台数制御手段による減段処理が発生した場合には、能力劣化機を優先的に停止させることができ、更に、増段処理においては、能力劣化機以外の熱源機を能力劣化機よりも優先させて起動させることができる。これにより、能力劣化機が運転される機会を可能な限り減らすことができる。この結果、運転中の熱源機の中に能力劣化機が含まれることに起因する増減段の頻繁な繰り返しを回避することが可能となる。
更に、上記熱源システムの制御装置によれば、能力劣化機に対して能力以上の負荷が割り当てられることを防止することができる。この結果、能力劣化機の熱媒出口温度が熱媒出口設定温度から乖離することを防止することができ、ひいては、熱媒送出温度が設定温度から乖離することを防止することが可能となる。
ここで、「出力可能上限値」とは、熱源機が出力可能な最大能力として設定されている値であり、例えば、定格能力が挙げられる。また、「出力可能上限値」は、出力可能な最大能力であってもよく、または、定格能力あるいは出力可能な最大能力に基づいて決定される値であってもよい。
更に、上記熱源システムの制御装置によれば、台数制御に参照される減段閾値についても能力劣化機の出力可能な能力に応じて変更されるので、現在の熱源システムの能力に応じて適切なタイミングで減段処理を行うことが可能となる。
【００１５】
本発明の第３態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と出力可能上限値とが対応付けられている能力情報を用いて、各前記熱源機の出力可能上限値を超えないように負荷配分を行う負荷配分手段と、運転中の前記熱源機のうち、予め設定された能力劣化条件を満たす熱源機を能力劣化機として検出する劣化機検出手段と、前記能力劣化機が検出された場合に、前記能力情報における前記能力劣化機の出力可能上限値を低下させる能力変更手段と、要求負荷と増段閾値とに応じて増段の要否を判定する台数制御手段と、前記能力劣化機が検出された場合に、前記能力劣化機が出力可能な能力に応じて前記増段閾値を変更する増段閾値変更手段とを具備する熱源システムの制御装置である。
【００１６】
上記熱源システムの制御装置によれば、能力劣化機が検出された場合には、能力情報における当該能力劣化機の出力可能上限値が低下させられる。これにより、能力劣化機に対して能力以上の負荷が割り当てられることを回避することができる。これにより、能力劣化機の熱媒出口温度が熱媒出口設定温度から乖離することを未然に防ぐことができ、ひいては、熱媒送出温度が設定温度から乖離することを防止することができる。この結果、熱源機の増減段が頻繁に繰り返されるのを未然に防ぐことが可能となる。
更に、上記熱源システムの制御装置によれば、台数制御に参照される増段閾値についても能力劣化機の出力可能な能力に応じて変更されるので、現在の熱源システムの能力に応じて適切なタイミングで増段処理を行うことが可能となる。
【００１９】
本発明の第４態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と出力可能上限値とが対応付けられている能力情報を用いて、各前記熱源機の出力可能上限値を超えないように負荷配分を行う負荷配分手段と、運転中の前記熱源機のうち、予め設定された能力劣化条件を満たす熱源機を能力劣化機として検出する劣化機検出手段と、前記能力劣化機が検出された場合に、前記能力情報における前記能力劣化機の出力可能上限値を低下させる能力変更手段と、要求負荷と減段閾値とに応じて減段の要否を判定する台数制御手段と、前記能力劣化機が検出された場合に、前記能力劣化機が出力可能な能力に応じて前記減段閾値を変更する減段閾値変更手段とを具備する熱源システムの制御装置である。
【００２０】
上記熱源システムの制御装置によれば、能力劣化機が検出された場合には、能力情報における当該能力劣化機の出力可能上限値が低下させられる。これにより、能力劣化機に対して能力以上の負荷が割り当てられることを回避することができる。これにより、能力劣化機の熱媒出口温度が熱媒出口設定温度から乖離することを未然に防ぐことができ、ひいては、熱媒送出温度が設定温度から乖離することを防止することができる。この結果、熱源機の増減段が頻繁に繰り返されるのを未然に防ぐことが可能となる。
更に、上記熱源システムの制御装置によれば、台数制御に参照される減段閾値についても能力劣化機の出力可能な能力に応じて変更されるので、現在の熱源システムの能力に応じて適切なタイミングで減段処理を行うことが可能となる。
【００２１】
本発明の第５態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と運転優先順位とが対応付けられている運転優先順位情報に従って、前記熱源機の台数制御を行う台数制御手段と、運転中の前記熱源機のうち、予め設定された能力劣化条件を満たす熱源機を能力劣化機として検出する劣化機検出手段と、前記能力劣化機が検出された場合に、前記運転優先順位情報における前記能力劣化機の運転優先順位を最下位に変更する優先順位変更手段とを具備し、前記劣化機検出手段は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御装置である。
本発明の第６態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と出力可能上限値とが対応付けられている能力情報を用いて、各前記熱源機の出力可能上限値を超えないように負荷配分を行う負荷配分手段と、運転中の前記熱源機のうち、予め設定された能力劣化条件を満たす熱源機を能力劣化機として検出する劣化機検出手段と、前記能力劣化機が検出された場合に、前記能力情報における前記能力劣化機の出力可能上限値を低下させる能力変更手段とを具備し、前記劣化機検出手段は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御装置である。
【００２２】
本発明の第７態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と運転優先順位とが対応付けられている運転優先順位情報に従って、前記熱源機の台数制御を行う台数制御手段と、運転中の前記熱源機のうち、予め設定された能力劣化条件を満たす熱源機を能力劣化機として検出する劣化機検出手段と、前記能力劣化機が検出された場合に、前記運転優先順位情報における前記能力劣化機の運転優先順位を最下位に変更する優先順位変更手段とを具備し、前記劣化機検出手段は、定常状態において、前記熱源機が備える所定の構成要素に係るパラメータが定格値であり、かつ、現在の能力が出力可能上限値未満である場合に、前記能力劣化条件を満たすと判定する熱源システムの制御装置である。
本発明の第８態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と出力可能上限値とが対応付けられている能力情報を用いて、各前記熱源機の出力可能上限値を超えないように負荷配分を行う負荷配分手段と、運転中の前記熱源機のうち、予め設定された能力劣化条件を満たす熱源機を能力劣化機として検出する劣化機検出手段と、前記能力劣化機が検出された場合に、前記能力情報における前記能力劣化機の出力可能上限値を低下させる能力変更手段とを具備し、前記劣化機検出手段は、定常状態において、前記熱源機が備える所定の構成要素に係るパラメータが定格値であり、かつ、現在の能力が出力可能上限値未満である場合に、前記能力劣化条件を満たすと判定する熱源システムの制御装置である。
【００２３】
本発明の第９態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と運転優先順位とが対応付けられている運転優先順位情報に従って、前記熱源機の台数制御を行う台数制御手段と、運転中の前記熱源機のうち、予め設定された能力劣化条件を満たす熱源機を能力劣化機として検出する劣化機検出手段と、前記能力劣化機が検出された場合に、前記運転優先順位情報における前記能力劣化機の運転優先順位を最下位に変更する優先順位変更手段とを具備し、前記劣化機検出手段は、能力発揮が制限されている状態にある熱源機を前記能力劣化機の判定対象から除外する熱源システムの制御装置である。
本発明の第１０態様は、複数の熱源機を備える熱源システムに適用され、外部負荷へ供給する熱媒の温度である熱媒送出温度が設定温度となるように、前記熱源機を制御する熱源システムの制御装置であって、各前記熱源機と出力可能上限値とが対応付けられている能力情報を用いて、各前記熱源機の出力可能上限値を超えないように負荷配分を行う負荷配分手段と、運転中の前記熱源機のうち、予め設定された能力劣化条件を満たす熱源機を能力劣化機として検出する劣化機検出手段と、前記能力劣化機が検出された場合に、前記能力情報における前記能力劣化機の出力可能上限値を低下させる能力変更手段とを具備し、前記劣化機検出手段は、能力発揮が制限されている状態にある熱源機を前記能力劣化機の判定対象から除外する熱源システムの制御装置である。
【００２４】
例えば、デマンド制御中の熱源機のように、能力発揮が制限されている状態にある熱源機は、出力可能上限値以下で運転することがあり、上記の能力劣化条件を満たしてしまう可能性がある。上記熱源システムの制御装置によれば、能力発揮が制限されている状態にある熱源機については、能力劣化機の判定対象から除外するので、能力発揮が制限されている状態にある熱源機を能力劣化機として誤検知することを防止することが可能となる。
【００２５】
上記熱源システムの制御装置は、前記熱媒送出温度が前記設定温度から乖離することにより予め設定された強制増段の条件を満たすか否かを判定する強制増段判定手段と、前記強制増段の条件を満たすと判定された場合に、強制増段を行う強制増段手段とを更に備えていてもよい。
【００２６】
上記熱源システムの制御装置によれば、熱媒送出温度が設定温度から乖離することにより予め設定された強制増段の条件を満たす場合には、熱源機が強制的に増段される。これにより、熱媒送出温度を設定温度に速やかに近づけることが可能となる。
【００２７】
上記熱源システムの制御装置において、前記強制増段判定手段は、定常状態において、熱媒送出温度と設定温度との差分または熱媒送出温度と設定温度との差分の比例積分値が、予め設定されている強制増段閾値以上である状態が所定期間継続した場合に、前記強制増段の条件を満たすと判定することとしてもよい。
【００２８】
上記熱源システムの制御装置において、前記強制増段手段は、運転を停止している前記熱源機のうち、起動から能力発揮までの時間が短い熱源機を優先させて起動させることとしてもよい。
【００２９】
上記熱源システムの制御装置によれば、強制増段の場合には、起動から能力発揮までの時間が短い熱源機を優先されて起動させるので、熱媒送出温度を設定温度に近づけるまでの時間を短縮することが可能となる。
【００３０】
上記熱源システムの制御装置において、前記強制増段手段は、運転を停止している前記熱源機のうち、要求負荷の不足分よりも大きな出力可能上限値を有する熱源機を優先的に起動させることとしてもよい。
【００３１】
上記熱源システムの制御装置によれば、可能な限り起動させる熱源機の台数を少なくすることができる。
【００３２】
本発明の第１１態様は、上述の熱源システムの制御装置を備える熱源システムである。
【００３３】
上記熱源システムは、前記能力劣化機が検出されたことを報知する報知手段を備えていてもよい。
【００３４】
上記熱源システムによれば、能力劣化機が検出されたことをユーザに報知することが可能となる。
【００３５】
本発明の第１２態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と運転優先順位とが対応付けられている運転優先順位情報に従って、前記熱源機の台数制御を行う台数制御過程と、運転中の前記熱源機のうち、予め設定された能力劣化条件を満たす熱源機を能力劣化機として検出する劣化機検出過程と、前記能力劣化機が検出された場合に、前記運転優先順位情報における前記能力劣化機の運転優先順位を最下位に変更する優先順位変更過程と、各前記熱源機と出力可能上限値とが対応付けられている能力情報を用いて、各前記熱源機の出力可能上限値を超えないように負荷配分を行う負荷配分過程と、前記能力劣化機が検出された場合に、前記能力情報における前記能力劣化機の出力可能上限値を低下させる能力変更過程とを有し、前記台数制御過程は、要求負荷と増段閾値とに応じて増段の要否を判定し、前記能力劣化機が検出された場合に、前記能力劣化機が出力可能な能力に応じて前記増段閾値を変更する増段閾値変更過程を有する熱源システムの制御方法である。
【００３６】
本発明の第１３態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と運転優先順位とが対応付けられている運転優先順位情報に従って、前記熱源機の台数制御を行う台数制御過程と、運転中の前記熱源機のうち、予め設定された能力劣化条件を満たす熱源機を能力劣化機として検出する劣化機検出過程と、前記能力劣化機が検出された場合に、前記運転優先順位情報における前記能力劣化機の運転優先順位を最下位に変更する優先順位変更過程と、各前記熱源機と出力可能上限値とが対応付けられている能力情報を用いて、各前記熱源機の出力可能上限値を超えないように負荷配分を行う負荷配分過程と、前記能力劣化機が検出された場合に、前記能力情報における前記能力劣化機の出力可能上限値を低下させる能力変更過程とを有し、前記台数制御過程は、要求負荷と減段閾値とに応じて減段の要否を判定し、前記能力劣化機が検出された場合に、前記能力劣化機が出力可能な能力に応じて前記減段閾値を変更する減段閾値変更過程を有する熱源システムの制御方法である。
本発明の第１４態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と出力可能上限値とが対応付けられている能力情報を用いて、各前記熱源機の出力可能上限値を超えないように負荷配分を行う負荷配分過程と、運転中の前記熱源機のうち、予め設定された能力劣化条件を満たす熱源機を能力劣化機として検出する劣化機検出過程と、前記能力劣化機が検出された場合に、前記能力情報における前記能力劣化機の出力可能上限値を低下させる能力変更過程と、要求負荷と増段閾値とに応じて増段の要否を判定する台数制御過程と、前記能力劣化機が検出された場合に、前記能力劣化機が出力可能な能力に応じて前記増段閾値を変更する増段閾値変更過程とを具備する熱源システムの制御方法である。
本発明の第１５態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と出力可能上限値とが対応付けられている能力情報を用いて、各前記熱源機の出力可能上限値を超えないように負荷配分を行う負荷配分過程と、運転中の前記熱源機のうち、予め設定された能力劣化条件を満たす熱源機を能力劣化機として検出する劣化機検出過程と、前記能力劣化機が検出された場合に、前記能力情報における前記能力劣化機の出力可能上限値を低下させる能力変更過程と、要求負荷と減段閾値とに応じて減段の要否を判定する台数制御過程と、前記能力劣化機が検出された場合に、前記能力劣化機が出力可能な能力に応じて前記減段閾値を変更する減段閾値変更過程とを有する熱源システムの制御方法である。
本発明の第１６態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と運転優先順位とが対応付けられている運転優先順位情報に従って、前記熱源機の台数制御を行う台数制御過程と、運転中の前記熱源機のうち、予め設定された能力劣化条件を満たす熱源機を能力劣化機として検出する劣化機検出過程と、前記能力劣化機が検出された場合に、前記運転優先順位情報における前記能力劣化機の運転優先順位を最下位に変更する優先順位変更過程とを有し、前記劣化機検出過程は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御方法である。
本発明の第１７態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と出力可能上限値とが対応付けられている能力情報を用いて、各前記熱源機の出力可能上限値を超えないように負荷配分を行う負荷配分過程と、運転中の前記熱源機のうち、予め設定された能力劣化条件を満たす熱源機を能力劣化機として検出する劣化機検出過程と、前記能力劣化機が検出された場合に、前記能力情報における前記能力劣化機の出力可能上限値を低下させる能力変更過程とを具備し、前記劣化機検出過程は、定常状態において、前記熱源機の熱媒出口温度と熱媒出口設定温度との差が予め設定されている閾値以上であり、かつ、現在の能力が出力可能上限値未満である場合に、前記能力劣化条件を満たすと判定する熱源システムの制御方法である。
本発明の第１８態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と運転優先順位とが対応付けられている運転優先順位情報に従って、前記熱源機の台数制御を行う台数制御過程と、運転中の前記熱源機のうち、予め設定された能力劣化条件を満たす熱源機を能力劣化機として検出する劣化機検出過程と、前記能力劣化機が検出された場合に、前記運転優先順位情報における前記能力劣化機の運転優先順位を最下位に変更する優先順位変更過程とを有し、前記劣化機検出過程は、定常状態において、前記熱源機が備える所定の構成要素に係るパラメータが定格値であり、かつ、現在の能力が出力可能上限値未満である場合に、前記能力劣化条件を満たすと判定する熱源システムの制御方法である。
本発明の第１９態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と出力可能上限値とが対応付けられている能力情報を用いて、各前記熱源機の出力可能上限値を超えないように負荷配分を行う負荷配分過程と、運転中の前記熱源機のうち、予め設定された能力劣化条件を満たす熱源機を能力劣化機として検出する劣化機検出過程と、前記能力劣化機が検出された場合に、前記能力情報における前記能力劣化機の出力可能上限値を低下させる能力変更過程とを具備し、  前記劣化機検出過程は、定常状態において、前記熱源機が備える所定の構成要素に係るパラメータが定格値であり、かつ、現在の能力が出力可能上限値未満である場合に、前記能力劣化条件を満たすと判定する熱源システムの制御方法である。
本発明の第２０態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と運転優先順位とが対応付けられている運転優先順位情報に従って、前記熱源機の台数制御を行う台数制御過程と、運転中の前記熱源機のうち、予め設定された能力劣化条件を満たす熱源機を能力劣化機として検出する劣化機検出過程と、前記能力劣化機が検出された場合に、前記運転優先順位情報における前記能力劣化機の運転優先順位を最下位に変更する優先順位変更過程とを具備し、前記劣化機検出過程は、能力発揮が制限されている状態にある熱源機を前記能力劣化機の判定対象から除外する熱源システムの制御方法である。
本発明の第２１態様は、複数の熱源機を備える熱源システムに適用され、外部負荷へ供給する熱媒の温度である熱媒送出温度が設定温度となるように、前記熱源機を制御する熱源システムの制御方法であって、各前記熱源機と出力可能上限値とが対応付けられている能力情報を用いて、各前記熱源機の出力可能上限値を超えないように負荷配分を行う負荷配分過程と、運転中の前記熱源機のうち、予め設定された能力劣化条件を満たす熱源機を能力劣化機として検出する劣化機検出過程と、前記能力劣化機が検出された場合に、前記能力情報における前記能力劣化機の出力可能上限値を低下させる能力変更過程とを有し、前記劣化機検出過程は、能力発揮が制限されている状態にある熱源機を前記能力劣化機の判定対象から除外する熱源システムの制御方法である。
【発明の効果】
【００３７】
本発明によれば、熱源システムに能力劣化機が含まれることに起因する増減段の頻繁な繰り返しを回避することができるという効果を奏する。
【図面の簡単な説明】
【００３８】
【図１】本発明の第１実施形態に係る熱源システムの構成を概略的に示した図である。
【図２】本発明の第１実施形態に係る熱源システムの制御系の構成を概略的に示した図である。
【図３】本発明の第１実施形態に係る上位制御装置が備える機能の一部を示した機能ブロック図である。
【図４】本発明の第１実施形態に係る熱源システムの制御方法の手順を示したフローチャートである。
【図５】本発明の第２実施形態に係る上位制御装置が備える機能の一部を示した機能ブロックである。
【図６】増段閾値変更部及び減段閾値変更部によって変更された後の増段閾値及び減段閾値について説明するための図である。
【図７】本発明の第２実施形態に係る熱源システムの制御方法の手順を示したフローチャートである。
【発明を実施するための形態】
【００３９】
〔第１実施形態〕
以下、本発明の第１実施形態に係る熱源システム及びその制御装置並びに制御方法について、図面を参照して説明する。
図１は、本発明の第１実施形態に係る熱源システムの構成を概略的に示した図である。熱源システム１は、例えば、空調機や給湯機、工場設備等の外部負荷２に対して供給する熱媒（冷水）を加熱または冷却する複数の熱源機１０（１０ａ、１０ｂ、１０ｃ）（以下、各熱源機を区別しないときは単に符号「１０」を付し、各熱源機を区別して示すときは符号「１０ａ」、「１０ｂ」等を付す。他の構成についても同様。）を備えている。これら熱源機１０ａ、１０ｂ、１０ｃは、外部負荷２に対して並列に接続されている。また、図１では、３台の熱源機１０ａ、１０ｂ、１０ｃが設置されている場合について例示しているが、熱源機１０の設置台数については任意に決定できる。
熱源機１０は、同機種及び同容量であってもよいし、異なる機種や異なる容量のものが混在していてもよい。熱源機の一例としては、ターボ冷凍機、吸収冷凍機などが挙げられる。
【００４０】
熱媒流れからみた各熱源機１０ａ、１０ｂ、１０ｃの上流側には、それぞれ、熱媒を圧送するポンプ３（３ａ、３ｂ、３ｃ）が設置されている。これらポンプ３ａ、３ｂ、３ｃによって、リターンヘッダ４からの熱媒が各熱源機１０ａ、１０ｂ、１０ｃへと送られる。各ポンプ３ａ、３ｂ、３ｃは、インバータモータ（図示略）によって駆動されるようになっており、これにより、回転数を可変とすることで可変流量制御される。
【００４１】
サプライヘッダ５には、各熱源機１０ａ、１０ｂ、１０ｃにおいて冷却または加熱された熱媒が集められるようになっている。サプライヘッダ５に集められた熱媒は、外部負荷２に供給される。外部負荷２にて空調等に供されて昇温または冷却された熱媒は、リターンヘッダ４に送られる。熱媒は、リターンヘッダ４において分岐され、各熱源機１０ａ、１０ｂ、１０ｃに再び送られることとなる。
【００４２】
サプライヘッダ５とリターンヘッダ４との間にはバイパス配管６が設けられている。バイパス配管６には、バイパス流量を調整するためのバイパス弁７が設けられている。
各熱源機１０ａ、１０ｂ、１０ｃの熱媒出口側には、熱媒出口温度を計測する温度センサ１３ａ、１３ｂ、１３ｃがそれぞれ設けられている。また、サプライヘッダ５の熱媒流れの下流側には外部負荷２に送出される熱媒の温度である熱媒送出温度を計測するための温度センサ１５が設けられている。
【００４３】
図２は、図１に示した熱源システム１の制御系の構成を概略的に示した図である。図２に示すように、各熱源機１０ａ、１０ｂ、１０ｃの制御装置である熱源機制御装置８ａ、８ｂ、８ｃは、上位制御装置２０と通信媒体１７を介して接続されており、双方向の通信が可能な構成とされている。
上位制御装置２０は、熱源システム全体を制御する制御装置であり、熱媒送出温度が外部負荷２の要求によって決定される設定温度となるように熱源システム１を制御する。具体的には、熱源機１０ａ、１０ｂ、１０ｃの出口温度制御、外部負荷２の要求負荷に基づく熱源機の運転台数制御、運転中の熱源機に負荷を割り当てる負荷配分制御、各ポンプ３ａ、３ｂ、３ｃの流量制御、サプライヘッダ５とリターンヘッダ４との間の差圧に基づくバイパス弁７の弁開度制御等を行う。また、このような制御を実現するために、上位制御装置２０には、温度センサ１３ａ〜１３ｃにより計測された各熱源機１０ａ、１０ｂ、１０ｃの熱媒出口温度及び熱媒送出温度が入力されるような構成とされている。これらの情報は、熱源機制御装置８ａ〜８ｃを介して上位制御装置２０に入力されてもよいし、上位制御装置２０に直接的に入力されてもよい。
【００４４】
上位制御装置２０及び熱源機制御装置８ａ、８ｂ、８ｃは、例えば、コンピュータであり、ＣＰＵ（中央演算処理装置）、ＲＡＭ（Ｒａｎｄｏｍ  Ａｃｃｅｓｓ  Ｍｅｍｏｒｙ）等の主記憶装置、補助記憶装置、外部の機器と通信を行うことにより情報の授受を行う通信装置などを備えている。補助記憶装置は、コンピュータ読取可能な記録媒体であり、例えば、磁気ディスク、光磁気ディスク、ＣＤ−ＲＯＭ、ＤＶＤ−ＲＯＭ、半導体メモリ等である。この補助記憶装置には、各種プログラムが格納されており、ＣＰＵが補助記憶装置から主記憶装置にプログラムを読み出し、実行することにより種々の処理を実現させる。
【００４５】
図３は、上位制御装置２０が備える機能の一部を示した機能ブロック図である。図３に示すように、上位制御装置２０は、記憶部２１、台数制御部２２、負荷配分部２３、劣化機検出部２４、優先順位変更部２５、強制増段判定部２６、及び強制増段部２７を備えている。
【００４６】
記憶部２１には、各熱源機１０ａ、１０ｂ、１０ｃについての運転優先順位が設定された運転優先順位テーブル（運転優先順位情報）、各熱源機１０ａ、１０ｂ、１０ｃについての出力可能上限値が設定された能力テーブル（能力情報）、増段処理を行う際の基準となる増段閾値、及び減段処理を行う際の基準となる減段閾値等が格納されている。ここで、運転優先順位テーブル等は、書き換え可能とされている。
【００４７】
台数制御部２２は、熱源機１０の台数制御を行う。例えば、台数制御部２２は、記憶部２１に格納されている増段閾値と要求負荷とを比較し、要求負荷が増段閾値を超える場合に停止中の熱源機を起動させる増段処理を行う。また、台数制御部２２は、記憶部２１に格納されている減段閾値と要求負荷とを比較し、要求負荷が減段閾値を下回る場合に運転中の熱源機を停止させる減段処理を行う。また、増段処理及び減段処理に際しては、記憶部２１に格納されている運転優先順位テーブルに従って、起動させる熱源機１０および停止させる熱源機を決定する。
【００４８】
負荷配分部２３は、記憶部２１に格納されている能力テーブルを参照し、各熱源機の出力可能上限値を超えないように負荷を配分する。例えば、熱源機１０ａ〜１０ｃが同機種、同容量の場合には当配分することで負荷を割り当てる。また、異なる容量や異なる機種の熱源機が混在している場合には、負荷配分部２３は、例えば、成績係数（ＣＯＰ）が所定値以上となるような最適負荷率範囲の情報を各熱源機に対応して予め設定しておき、各熱源機の負荷率がそれぞれの最適負荷率範囲となるように負荷を配分する。このように、成績係数を考慮した負荷配分を行うことで、省エネルギー化を図ることが可能となる。
【００４９】
劣化機検出部２４は、運転中の熱源機１０のうち、所定の能力劣化条件を満たす熱源機１０を能力劣化機として検出する。劣化機検出部２４は、例えば、運転中の熱源機１０の熱媒出口温度と熱媒出口設定温度との差が予め設定されている閾値以上であり、かつ、現在の能力が出力可能上限値未満である場合に、能力劣化条件を満たすと判定し、当該熱源機１０を能力低下機として検出する。
【００５０】
ここで、熱媒冷却時においては、熱媒出口温度が熱媒出口設定温度より低い場合は特に問題視する必要がなく、熱媒加熱時においては、熱媒出口温度が熱媒出口設定温度より高い場合は特に問題視する必要がない。したがって、熱媒冷却時においては熱媒出口温度が熱媒出口設定温度よりも閾値以上高いか否か、冷媒加熱時においては熱媒出口温度が熱媒出口設定温度よりも所定値以上低いか否かを判定することとしてもよい。
上記能力劣化条件を式で表すと以下の通りである。
【００５１】
〔能力劣化条件〕
熱媒出口温度−熱媒出口設定温度≧閾値      （熱媒冷却時）
熱媒出口設定温度−熱媒出口温度≧閾値      （熱媒加熱時）
かつ、
現在の能力＜出力可能上限値
【００５２】
劣化機検出部２４は、上記条件を満たす熱源機が存在する場合には、その熱源機を能力劣化機として検出する。
なお、デマンド制御中の熱源機のように、能力発揮が制限されている状態にある熱源機は、出力可能上限値以下で運転することがあり、上記の能力劣化条件を満たしてしまう可能性がある。したがって、能力発揮が制限されている状態にある熱源機については、能力劣化機の判定対象から除外する。これにより、能力発揮が制限されている状態にある熱源機（例えば、デマンド制御中の熱源機）を能力劣化機として誤検知することを防止することができる。
【００５３】
また、能力劣化条件については上記例に限られない。例えば、熱源機１０が備える所定の構成要素に係る各種パラメータ（例えば、ターボ冷凍機であれば、蒸発器圧力、圧縮機ベーン開度、圧縮機回転数等）が定格値であり、かつ、現在の能力が出力可能上限値未満である場合に、能力劣化条件を満たすと判定することとしてもよい。
【００５４】
優先順位変更部２５は、劣化機検出部２４によって能力劣化機が検出された場合に、記憶部２１に格納されている運転優先順位テーブルにおける当該能力劣化機の運転優先順位を最下位に変更する。
【００５５】
強制増段判定部２６は、熱媒送出温度が設定温度から乖離することにより、予め設定された強制増段条件を満たすか否かを判定する。具体的には、強制増段判定部２６は、定常状態において、熱媒送出温度と設定温度との差が強制増段閾値以上である状態が所定期間継続した場合に、強制増段条件を満たすと判定する。
ここで、熱媒冷却時においては、熱媒送出温度が設定温度より低い場合は特に増段を行う必要がなく、熱媒加熱時においては、熱媒送出温度が設定温度より高い場合は特に増段を行う必要がない。したがって、熱媒冷却時においては熱媒送出温度が設定温度よりも強制増段閾値以上高いか否か、冷媒加熱時においては熱媒送出温度が設定温度よりも強制増段閾値以上低いか否かを判定すればよい。
上記強制増段条件を式で表すと以下の通りである。
【００５６】
〔強制増段条件〕
熱媒送出温度−設定温度≧強制増段閾値（熱媒冷却時）の状態が所定期間継続
設定温度−熱媒送出温度≧強制増段閾値（熱媒加熱時）の状態が所定期間継続
【００５７】
なお、強制増段条件については、上記例に限られない。例えば、熱媒送出温度と設定温度との差に代えて、熱媒送出温度と設定温度との比例積分値を用いることとしてもよい。
【００５８】
強制増段部２７は、強制増段判定部２６によって強制増段条件を満たすと判定された場合に、強制増段を行う。ここで、強制増段の場合には、記憶部２１に格納されている運転優先順位テーブルに従って起動させる熱源機を選択するのではなく、他の基準に基づいて起動させる熱源機を選択してもよい。例えば、強制増段の場合には、既に熱媒送出温度が設定温度から乖離しているため、早急に熱源機を起動させて、熱媒送水温度を設定温度に近づける必要がある。したがって、この観点から、例えば、起動から能力発揮までの時間が短い機種（例えば、ターボ冷凍機）を優先的に立ちあげることとしてもよい。
【００５９】
また、起動の速さという観点ではなく、要求負荷の不足分をできるだけ少ない数の熱源機で賄うという観点から、要求負荷の不足分よりも大きな出力可能上限値を有する熱源機を優先的に起動させることとしてもよい。
【００６０】
次に、図３に示した本実施形態に係る上位制御装置２０により実行される熱源システムの制御方法について図４を参照して説明する。図４は、本実施形態に係る熱源システムの制御方法の手順を示したフローチャートである。上位制御装置２０は、図４に示した処理を一定の時間間隔で繰り返し行う。なお、以下の処理は、例えば、台数制御部２２による台数制御や負荷配分部２３による負荷配分制御と並行して行われてもよい。
【００６１】
まず、定常状態であるか否かを判定する（ステップＳＡ１）。これは、過渡的な状態にある場合には、熱媒送出温度等の状態が安定していないため、誤検知を行う可能性があるからである。定常状態であるか否かは、例えば、前回の熱源機起動または停止から一定時間が経過しているか否か、または、熱媒送出温度が設定温度付近に到達してから所定期間が経過したか否か等の判定基準を用いて判定する。
【００６２】
この結果、定常状態でないと判定した場合には（ステップＳＡ１において「ＮＯ」）、当該処理を終了する。一方、定常状態であると判定した場合には（ステップＳＡ１において「ＹＥＳ」）、強制増段条件を満たすか否かを判定する（強制増段判定部：ステップＳＡ２）。この結果、強制増段条件を満たさないと判定した場合には（ステップＳＡ２において「ＮＯ」）、ステップＳＡ４に移行する。一方、強制増段条件を満たすと判定した場合には（ステップＳＡ２において「ＹＥＳ」）、強制増段を行う（強制増段部：ステップＳＡ３）。続いて、能力劣化機を検出する（劣化機検出部：ステップＳＡ４）。この結果、能力劣化機がある場合には（ステップＳＡ４において「ＹＥＳ」）、記憶部２１に格納されている運転優先順位テーブルにおける能力劣化機の優先順位を最下位に変更し（優先順位変更部：ステップＳＡ５）、当該処理を終了する。一方、能力劣化機がない場合には（ステップＳＡ４において「ＮＯ」）、運転優先順位テーブルの変更を行わずに、当該処理を終了する。
【００６３】
以上説明したように、本実施形態に係る熱源システム及びその制御装置並びに制御方法によれば、外部負荷２への熱媒送出温度と設定温度との差が強制増段閾値以上である場合に、熱源機を強制増段させるとともに、能力劣化機がある場合には、その能力劣化機の運転優先順序を最下位に変更する。これにより、台数制御部２２による減段処理が発生した場合には、能力劣化機を優先的に停止させることができ、更に、増段処理においては、能力劣化機以外の熱源機を能力劣化機よりも優先させて起動させることができる。これにより、能力劣化機が運転される機会を可能な限り減らすことができる。この結果、運転中の熱源機の中に能力劣化機が含まれることに起因する増減段の頻繁な繰り返しを回避することが可能となる。
【００６４】
なお、図４に例示されるフローでは、強制増段の有無にかかわらず、能力劣化機の検出を毎回行うこととしたが、強制増段が行われた場合に限って、能力劣化機の検出を行うこととしてもよい。このようにすることで、能力劣化機の検出処理を行う頻度を低下させることができ、処理負担の軽減を図ることができる。
【００６５】
また、本実施形態において、能力劣化機が検出された場合に、他の熱源機と能力劣化機とを入れ替えることとしてもよい。これにより、能力劣化機が検出された場合には、当該能力劣化機の運転を早期に停止させることができ、健全な熱源機による安定した運転を実現することが可能となる。
【００６６】
〔第２実施形態〕
次に、本発明の第２実施形態に係る熱源システム及びその制御装置並びに制御方法について説明する。以下、上述した第１実施形態と共通する点については説明を省略し、異なる点について主に説明する。
図５に、本実施形態に係る熱源システムの上位制御装置３０の機能ブロック図を示す。図５に示すように、上位制御装置３０は、記憶部２１、台数制御部２２、負荷配分部２３、劣化機検出部２４、能力変更部２８、増段閾値変更部２９、及び減段閾値変更部３１を備えている。
【００６７】
記憶部２１、台数制御部２２、負荷配分部２３、劣化機検出部２４については、上述した第１実施形態と同様であるため説明を省略する。
能力変更部２８は、劣化機検出部２４によって能力劣化機が検出された場合に、記憶部２１に格納されている能力テーブルにおける能力劣化機の出力可能上限値を低下させる。例えば、予め決定されている所定量、出力可能上限値を低下させることとしてもよいし、能力劣化機が出力可能な最大の能力がわかる場合には、能力テーブルの出力可能上限値を現在の出力可能な最大能力に変更してもよい。
【００６８】
増段閾値変更部２９は、能力劣化機が検出された場合に、能力劣化機の出力可能な最大能力に応じて記憶部２１に格納されている増段閾値を変更する。例えば、能力劣化機の出力可能な最大能力Ｑｉ´と現在の増段閾値Ｑｕｉとを比較し、小さい方を能力劣化機の増段閾値として選択する。これにより、能力劣化機が混在した状態で熱源機がｎ台運転しているときの設備負荷に対する熱源システムの増段閾値ＸＵは以下の（１）式で表される。なお、能力劣化機以外の熱源機、換言すると、定格能力を発揮可能な熱源機の増段閾値については、現在の増段閾値Ｑｕｉが維持される。
【００６９】
【数１】
0006482826.tif 000002
【００７０】
減段閾値変更部３１は、能力劣化機が検出された場合に、能力劣化機の出力可能な最大能力に応じて記憶部２１に格納されている減段閾値を変更する。例えば、能力劣化機の出力可能な最大能力Ｑｉ´を用いて能力劣化機の減段閾値Ｑｄｉ´を決定する。具体的には、以下の（２）式に示すように、能力劣化機の出力可能な最大能力Ｑｉ´から不感体αを減算した値を能力劣化機の減段閾値Ｑｄｉ´とする。
【００７１】
【数２】
0006482826.tif 000003
【００７２】
次に、上記能力劣化機の減段閾値Ｑｄｉ´と、現在の熱源機の減段閾値Ｑｄｉとを比較し、小さい方を能力劣化機の減段閾値とする。これにより、能力劣化機が混在した状態で熱源機がｎ台運転しているときの設備負荷に対する熱源システムの減段閾値ＸＤは以下の（３）式で表される。なお、能力劣化機以外の熱源機、換言すると、定格能力を発揮可能な熱源機の減段閾値については、現在の減段閾値Ｑｄｉが維持される。
これにより、例えば、図６に示すように、能力劣化機の増段閾値Ｑｕｉ´及び減段閾値Ｑｄｉ´は、最大能力に応じて低下する方向にシフトされることとなる。
【００７３】
【数３】
0006482826.tif 000004
【００７４】
また、減段閾値変更部３１は、能力劣化機の出力可能な最大能力を考慮したｎ−１台運転時の熱源システムの増段閾値ＸＵ（ｎ−１）と、能力劣化機の出力可能な最大能力を考慮したｎ台運転時の熱源システムの減段閾値ＸＤ（ｎ）とを比較し、減段閾値ＸＤ（ｎ）が増段閾値ＸＵ（ｎ−１）以上である場合には、減段閾値ＸＤ（ｎ）を増段閾値ＸＵ（ｎ−１）以下となるように、減段閾値ＸＤ（ｎ）を更に調整するとよい。これにより、能力劣化機に対して最大能力以上の負荷をかけることなく減段させることが可能となる。
【００７５】
次に、本実施形態に係る上位制御装置３０により実行される熱源システムの制御方法について図７を参照して説明する。図７は、上位制御装置３０によって実行される熱源システムの制御方法の手順を示したフローチャートである。上位制御装置３０は、図７に示した処理を一定の時間間隔で繰り返し行う。
【００７６】
まず、定常状態であるか否かを判定する（ステップＳＢ１）。この結果、定常状態でないと判定した場合には（ステップＳＢ１において「ＮＯ」）、当該処理を終了する。一方、定常状態であると判定した場合には（ステップＳＢ１において「ＹＥＳ」）、能力劣化機を検出する（劣化機検出部：ステップＳＢ２）。この結果、能力劣化機がない場合には（ステップＳＢ２において「ＮＯ」）、ステップＳＢ５に移行する。一方、能力劣化機がある場合には（ステップＳＢ２において「ＹＥＳ」）、記憶部２１に格納されている能力テーブルにおける能力劣化機の出力可能上限値を変更する（能力変更部：ステップＳＢ３）。続いて、記憶部２１に格納されている増段閾値及び減段閾値を必要に応じて変更する（増段閾値変更部・減段閾値変更部：ステップＳＢ４）。
【００７７】
次に、現在の要求負荷と現在の熱源システムの増段閾値ＸＵ（ｎ）とを比較し、現在の要求負荷が現在の熱源システムの増段閾値ＸＵ（ｎ）以下であるか否か、換言すると、現在の要求負荷を現在運転中の熱源機によって満足できるか否かを判定する（台数制御部：ステップＳＢ５）。この結果、現在の要求負荷が現在の熱源システムの増段閾値ＸＵ（ｎ）よりも大きい場合には（ステップＳＢ５において「ＮＯ」）、熱源機を増段させる（台数制御部：ステップＳＢ６）。
【００７８】
一方、現在の要求負荷が現在の熱源システムの増段閾値ＸＵ（ｎ）以下である場合には（ステップＳＢ５において「ＹＥＳ」）、現在の要求負荷と現在の熱源システムの減段閾値ＸＤ（ｎ）とを比較し、現在の要求負荷が現在の熱源システムの減段閾値ＸＤ（ｎ）未満であるか否か、換言すると、運転中の熱源機のうち、優先順位の最も低い熱源機を減段させた場合でも、現在の要求負荷を満足できるか否かを判定する（台数制御部：ステップＳＢ７）。この結果、現在の要求負荷が現在の熱源システムの減段閾値ＸＤ（ｎ）未満である場合には（ステップＳＢ７において「ＹＥＳ」）、熱源機を減段させる（台数制御部：ステップＳＢ８）。
【００７９】
一方、現在の要求負荷が現在の熱源システムの減段閾値ＸＤ（ｎ）以上である場合には（ステップＳＢ７において「ＮＯ」）、現在運転中の熱源機の負荷配分を変更する（負荷配分部：ステップＳＢ９）。具体的には、能力劣化機の負荷配分比率を下げ、能力に余力のある熱源機の負荷配分比率を上げることにより、要求負荷を満足する。負荷比率の変更は、熱媒出口設定温度を上昇または低下させる、または、熱媒流量を増加または低下させることにより行われる。
【００８０】
以上説明したように、本実施形態に係る熱源システム及びその制御装置並びに制御方法によれば、能力劣化機がある場合には、その能力劣化機の出力可能上限値が現在の出力可能な能力に応じて変更される。これにより、能力劣化機に対して能力以上の負荷が割り当てられることを回避することができる。これにより、能力劣化機の熱媒出口温度が熱媒出口設定温度から乖離することを未然に防ぐことができ、熱媒送出温度が設定温度から乖離することを防止することができる。この結果、熱源機の増減段が頻繁に繰り返されるのを未然に防ぐことができる。
更に、台数制御に参照される増段閾値及び減段閾値についても能力劣化機の出力可能な最大能力に応じて適宜変更されるので、現在の熱源システムの能力に応じて適切なタイミングで増段処理及び減段処理を行うことが可能となるとともに、能力劣化機の負荷が最大能力を超えてしまうことを回避することができる。
【００８１】
本発明は、上述の実施形態のみに限定されるものではなく、発明の要旨を逸脱しない範囲において、種々変形実施が可能である。
【００８２】
例えば、上述した第１実施形態と第２実施形態とを部分的に組み合わせることとしてもよい。例えば、第１実施形態では、能力劣化機を検出した後も能力劣化機の運転が継続して行われ、減段処理が生じた際に、初めて能力劣化機の運転が停止されることとなる。そこで、能力劣化機が検出されてから当該能力劣化機の運転停止までの期間においては、第２実施形態のように、記憶部２１に格納されている能力テーブルにおける当該能力劣化機の出力可能上限値を変更するとともに、増段閾値及び減段閾値を適宜変更し、能力劣化機の能力低下を考慮した負荷配分及び増段・減段処理を行うこととしてもよい。
【００８３】
また、例えば、各実施形態に係る熱源システムは、能力劣化機が検出された場合に、能力劣化機が検出されたことを報知する報知部を備えていてもよい。報知部の具体例としては、聴覚的に検知を伝える警報機、視覚的に検知を伝えるディスプレイ等が一例として挙げられる。
【符号の説明】
【００８４】
１  熱源システム
２  外部負荷
３  ポンプ
４  リターンヘッダ
５  サプライヘッダ
１０（１０ａ〜１０ｃ）  熱源機
１３ａ〜１３ｃ、１５  温度センサ
２０、３０  上位制御装置
８ａ〜８ｃ  熱源機制御装置
２１  記憶部
２２  台数制御部
２３  負荷配分部
２４  劣化機検出部
２５  優先順位変更部
２６  強制増段判定部
２７  強制増段部
２８  能力変更部
２９  増段閾値変更部
３１  減段閾値変更部
【図１】
0006482826.tif 000005
【図２】
0006482826.tif 000006
【図３】
0006482826.tif 000007
【図４】
0006482826.tif 000008
【図５】
0006482826.tif 000009
【図６】
0006482826.tif 000010
【図７】
0006482826.tif 000011